(57)【特許請求の範囲】
【請求項１】
原稿読取部より前方に、画像表示面と、画像表示面とは異なる角度であり、凹部の底面で形成された着脱可能な認証装置を積載するための認証装置積載面とを備えた操作部を、有し、
前記認証装置の背面にはケーブル状の配線が接続され、前記認証装置の背面と対向する前記凹部の背面には前記配線を通すための開口を形成され、
前記認証装置を前記認証装置積載面に積載した状態で、
前記凹部の背面に前記認証装置の背面が接して、前記配線が前記開口に通されており、かつ前記凹部の背面を除く面と前記認証装置の側面との間には隙間が形成されている
ことを特徴とする画像処理装置。
【請求項２】
請求項１に記載の画像処理装置において、前記凹部を覆い、前記画像表示面とほぼ同一面を形成する着脱可能な蓋を備えることを特徴とする画像処理装置。
【請求項３】
請求項１又は２に記載の画像処理装置において、前記画像表示面が前下がりに傾斜し、前記認証装置積載面が水平又はほぼ水平であることを特徴とする画像処理装置。
【請求項４】
請求項１又は２に記載の画像処理装置において、前記画像表示面が前下がりに傾斜し、前記認証装置積載面が後ろ下がりに傾斜する面であることを特徴とする画像処理装置。
【請求項５】
請求項１から４のいずれかに記載の画像処理装置において、前記画像表示面と前記認証装置積載面との間に、前記画像表示面を備えた部位及び／又は前記認証装置積載面を備えた部位を着脱して分離、交換可能するための分割部を備えたことを特徴とする画像処理装置。
【請求項６】
請求項１から５のいずれかに記載の画像処理装置において、前記認証装置積載面に、前記認証装置の積載位置と粘着材の貼付位置を示す２種の目印を備えたことを特徴とする画像処理装置。
【請求項７】
請求項６に記載の画像処理装置において、前記目印が、２種類のシボ模様、凹凸形状、あるいはデカルの貼付または印刷のいずれかによって形成されたものであることを特徴とする画像処理装置。
【請求項８】
請求項１から７のいずれかに記載の画像処理装置において、前記画像表示面は角度可変機構により角度を変えられることを特徴とする画像処理装置。
【発明の詳細な説明】
【技術分野】
【０００１】
本発明は、複合機、複写機、プリンター、スキャナー、これらの複合機などの画像処理装置に利用できる、着脱可能な認証装置を積載可能な操作部構造と、さらには社員食堂や売店などに設置されるＩＣカード清算システム、会議室ドアなどに設置されるＩＣカード入退出管理システム、などの情報処理装置に着脱可能な認証装置を積載可能な操作部構造と、これを備えた画像処理装置、情報処理装置に関する。
【背景技術】
【０００２】
電子写真方式を利用した画像処理装置等においては、ＩＣカードや指紋を読み取る認証装置は、標準装備ではなく、オプションとして追加されることが多い（認証装置をオプションとして追加しない場合は、認証キー（ログインキー）を押して、テンキーや画面に出るキーボードでユーザーＩＤとパスワードを入力して個人認証する構成とした例も知られている）。
【０００３】
ところでこのような認証装置を画像処理装置等に装備する場合、使用者に右効きが多いことと、ほとんどの場合には操作パネルが備えるテンキーが操作パネル部分の右側にあることとを考慮し、関連して使われがちな認証キーも操作パネルの右側部位近くに配置した方が分かりやすくかつ使いやすいと考えられている。
【０００４】
また近年、操作パネル部分の周辺には、ＳＤカードやＵＳＢメモリなどの読取装置が配置されることも多く、これらとの併設も考慮する必要がある。また認証装置をオプション装置として装備しかつ画像処理装置等の装置本体に内蔵する場合は、配線の露出もなく、外観の印象が煩雑になることを防げる。
【発明の概要】
【発明が解決しようとする課題】
【０００５】
しかしながら、装置本体のいずれかかの場所にオプション装置である認証装置（多くの場合、モジュール化されており、その場合には認証モジュールと呼称されるので、本願においては、特に必要がなければ。認証装置、と記す。）を格納するスペースを用意しなければならなくなるという問題が生じ、しかも認証装置の装着率はまだ少なく、設計レイアウト上の優先度が低いため、操作パネルの左側の部位などのように、認証操作にはあまり適していない装置本体における余剰スペースに内蔵されるようになることもある。
【０００６】
また装置本体に認証装置を内蔵すると、ＩＣカードや手（実際には手指の指紋）をどこへ向けてかざせば良いのかが分かりにくくなるという問題もあり、むしろ存在を目立たせるような搭載の仕方をしなければ使用者が混乱して使いにくくなる。
【０００７】
一方、認証装置そのものは、他社から仕入れて装着し、販売することも多いため、装置本体に内蔵せずに積載（外付け）されることも多い。しかし、オプションとしての認証装置を画像処理装置等の装置本体に外付けで積載する場合は、配線を格納できるように装置本体を設計しておかないと、配線が露出するので、コネクター部が破損したり、外観が雑然とした印象を与えるものになりやすい、という問題が生じる。
【０００８】
また、装置本体の上面に認証装置の積載スペースを確保できない場合には、装置本体の側面などに積載用テーブルを取り付け、その上に外付け装置として積載する場合もあるが、外観の印象が雑然としやすいだけでなく、装置本体の設置面積を無駄に増やしてしまいかねないという問題もある。
【０００９】
なお特許文献１（特開２００８−２７７８８６号公報）や特許文献２（特開２００８−２７６３２９号公報）は、図１７（Ａ）に示すように、操作部の右側に認証装置を内蔵できる構成が、ＳＤカードやＵＳＢメモリなどの読取装置との併設や、認証装置を使わない認証キーなどによる認証は考慮されていないという問題を残している。
【００１０】
また特許文献３（特開２００９−００９３４７号公報）は、図１７（Ｂ）に示すように、操作部右側に認証装置を外付けできるが、操作部の側面に積載用テーブルを取り付けて設置する必要があるため、外観の印象がかなり雑然としたものになってしまい、しかも装置本体の設置面積を増やしてしまい得るという問題を有している。
【００１１】
なお図１７の装置１は、原稿給紙装置（ＡＤＦ）２、画像形成部３、複数の給紙トレイ４を備えた給紙部５、操作部６を備え、操作部６は操作パネル７と認証装置搭載部８とから構成してある。
【００１２】
そこで本発明では、使用者がカードや手指をかざしやすい位置に、認証装置の存在が分かりやすいように、しかも認証装置の装着時だけでなく非装着時でも外観の印象を雑然としたものにすることなく、装置本体の設置面積も無駄に増やすことがない、着脱可能な認証装置を積載できる操作パネルと、これを備えた画像処理装置、情報処理装置を提供することを目的とする。
【００１３】
またカードや指紋の認証装置だけでなく、ＳＤカードやＵＳＢメモリなどの読取装置も合わせて、使いやすい位置で合理的に集中配置することも考慮し得る操作パネルと、これを備えた画像処理装置、情報処理装置を提供することを目的とする。
【課題を解決するための手段】
【００１４】
本発明の画像処理装置は、原稿読取部より前方に、画像表示面と、画像表示面とは異なる角度であり、凹部の底面で形成された着脱可能な認証装置を積載するための認証装置積載面とを備えた操作部を、有し、前記認証装置の背面にはケーブル状の配線が接続され、前記認証装置の背面と対向する前記凹部の背面には前記配線を通すための開口を形成され、
前記認証装置を前記認証装置積載面に積載された状態で、前記凹部の背面に前記認証装置の背面が接して、前記配線が前記開口に通されており、かつ前記凹部の背面を除く面と前記認証装置の側面との間には隙間が形成されていることを特徴とする。
【００１５】
また本発明の画像処理装置は、請求項１に記載の画像処理装置において、前記凹部を覆い、前記画像表示面とほぼ同一面を形成する着脱可能な蓋を備えることを特徴とする。
【００１６】
また本発明の画像処理装置は、請求項１又は２に記載の画像処理装置において、前記画像表示面が前下がりに傾斜し、前記認証装置積載面が水平又はほぼ水平であることを特徴とする。
【００１７】
また本発明の画像処理装置は、請求項１又は２に記載の画像処理装置において、前記画像表示面が前下がりに傾斜し、前記認証装置積載面が後ろ下がりに傾斜する面であることを特徴とする。
【００１８】
また本発明の画像処理装置は、請求項１から４のいずれかに記載の画像処理装置において、前記画像表示面と前記認証装置積載面との間に、前記画像表示面を備えた部位及び／又は前記認証装置積載面を備えた部位を着脱して分離、交換可能するための分割部を備えたことを特徴とする。
【００１９】
また本発明の画像処理装置は、請求項１から５のいずれかに記載の画像処理装置において、前記認証装置積載面に、前記認証装置の積載位置と粘着材の貼付位置を示す２種の目印を備えたことを特徴とする。
【００２０】
また本発明の画像処理装置は、請求項６に記載の画像処理装置において、前記目印が、２種類のシボ模様、凹凸形状、あるいはデカルの貼付または印刷のいずれかによって形成されたものであることを特徴とする。
【００２１】
また本発明の画像処理装置は、請求項１から７のいずれかに記載の画像処理装置において、前記画像表示面は角度可変機構により角度を変えられることを特徴とする。
【発明の効果】
【００４０】
本発明によれば、認証装置が原稿読取装置より前方にあり、使用者の立ち位置から近いので、手でカードや指紋で認証操作をしやすくできる。つまり、凹部の背面を除く面と認証装置の側面との間にスペースが形成されていることにより、例えば認証装置がＩＣカード等のカード読取面を露出させるタイプの場合には、ＩＣカードを認証装置にかざす際にＩＣカードを持つユーザの指が逃げるスペースとなり、ＩＣカードを認証装置にかざしやすくなります。また、認証動作の際にユーザが手に持っていたクリップ等を前記スペースに一旦置いてから認証動作を行うことも可能となり、認証装置が使いやすくなる。
【００４１】
また本発明は、ケーブル状の配線が破損しにくくできる。つまり、認証装置の背面と対向する凹部の背面にケーブル状の配線を通すための開口を形成し、凹部の背面に認証装置の背面が接した状態で認証装置を積載し、ケーブル状の配線を開口に通すことにより、ケーブル状の配線を外部に露出することなく装置本体内に配線を通すことができるので、ユーザが不要にケーブル状の配線に触れて断線等が生じることを防ぐことができる。
【図面の簡単な説明】
【００４２】
【図１】本発明の実施例１に係る操作パネルと認証装置取り付け部位からなる操作部を備えた画像処理装置を前方右側から見て示す斜視図
【図２】図１の装置の操作パネルと認証装置取り付け部位の拡大分解図
【図３】図２に示す操作部の認証装置の取り付け部位の構造の一例を示す拡大斜視図
【図４】図１の装置で、認証装置取り付け部位に認証装置を取り付けていない状態の斜視図（Ａ）と、認証装置を取り付けるために蓋を取り外した状態の斜視図（Ｂ）
【図５】図１の装置で、認証装置取り付け部位に認証装置を取り付けた状態の斜視図（Ａ）と、認証装置の配線例を示す斜視図（Ｂ）と、要部断面図（Ｃ）
【図６】図５の状態での操作パネルと認証装置を、図１の装置の背面側から見て示す斜視図で、配線前の状態（Ａ）と配線後の状態（Ｂ）を示す図
【図７】図５（Ａ）の状態における認証パネル取り付け部位の拡大斜視図
【図８】本発明の実施例２に係る操作部を備えた画像処理装置を前方右側から見て示す斜視図で、認証装置取り付け部位に認証装置を取り付けていない状態の斜視図（Ａ）と、認証装置を取り付けた状態の斜視図（Ｂ）と、この実施例における認証装置の配線例を示す斜視図（Ｃ）
【図９】図８（Ａ）、（Ｂ）の認証装置取り付け部位の拡大斜視図（Ａ、Ｂ）
【図１０】図８（Ａ）、（Ｂ）の認証装置取り付け部位を破断して示す斜視図（Ａ、Ｂ）
【図１１】本発明の実施例２に係る認証装置取り付け部位に認証装置を取り付ける手順を図１の装置の背面側から見て示す斜視図（Ａ〜Ｄ）
【図１２】本発明の実施例３に係る操作部を備えた画像処理装置を前方右側から見て示す斜視図（Ａ、Ｂ）
【図１３】図１２に示す実施例３において、角度可変チルト機構付き操作パネルを破断して示す斜視図
【図１４】同じく角度可変チルト機構付き操作パネルのヒンジを図１の装置の背面側から見て示すために、操作パネルの下カバー後部を破断して示す斜視図
【図１５】同操作パネルのヒンジを示すために、操作パネルだけを破断して示す側面図
【図１６】本発明に係る操作パネルと認証装置取り付け部位の断面構造を概念的に示す図（Ａ〜Ｇ）
【図１７】従来の画像処理装置における認証装置の配置例を示す斜視図（Ａ、Ｂ）
【発明を実施するための形態】
【００４３】
本発明は、複合機、複写機、プリンター、スキャナー、これらの複合機などの画像処理装置、ＩＣカード清算システム、会議室ドアなどに設置されるＩＣカード入退出管理システムなどの情報処理装置に利用できる、着脱可能な認証装置を積載可能な操作部構造、さらには社員食堂や売店などに設置されるに着脱可能な認証装置を積載可能な操作部構造に関するが、原稿読取部より前方に、画像表示面と、画像表示面とは異なる角度に着脱可能な認識装置を積載して外付けする認証装置積載面を備える。画像表示面としては、タッチパネル付き、または、タッチパネルなしの液晶画面が、認証装置としては、非接触通信式のＩＣカードリーダーライター、磁気カードリーダーライター、光学式の指紋読取装置、テンキー式の暗号入力装置が、認証だけでなく課金も管理する装置としては、あらかじめ使用枚数をプリペイドした減算型カードを載せたまま使用するプリペイド減算型カードリーダーライターを挙げられるが、本発明はこれら並びに以下において図示し説明する実施例には限定されない。
【実施例】
【００４４】
＜実施例１＞
図１は、本発明の実施例１に係る操作パネルと認証装置取り付け部位を備えた画像処理装置を前方右側から見て示す斜視図である。図１の画像処理装置１（以下、単に装置１と記す）は、複合機、複写機、プリンター、スキャナー、これらの複合機で、図１７に示した従来の装置と基本的には同様に、原稿給紙装置（ＡＤＦ）２、画像形成部３、複数の給紙トレイ４を備えた給紙部５等から構成され、画像形成部３の上部の前面側へ張り出した形状の部位の上面に操作部６を備え、操作部６は操作パネル７と認証装置搭載部８とから構成してある。
【００４５】
図２は、図１の装置の操作パネルと認証装置取り付け部位の拡大分解図であり、操作パネル７は、ＬＣＤ等を用い、前下がりに傾斜する画像表示面９、テンキー１０、認証キー（ログインキー）１１を備えている。図中１２は認証装置搭載部８との分割部である。また認証装置搭載部８は、右利きが多いことを考慮して操作パネル７より装置前面側から見て右方に、さらに詳細には少なくとも画像表示面９より右方に配置し、操作パネル７と同じく前下がりに傾斜する表面と蓋１３を有し、蓋１３は、図４（Ｂ）に示すような認証装置搭載用の凹部１４上に載置して構成してある。なお、図４は、図１の装置で、認証装置取り付け部位に認証装置を取り付けていない状態の斜視図（Ａ）と、認証装置を取り付けるために蓋１３を取り外して凹部１４を露出させた状態の斜視図（Ｂ）である。
【００４６】
図３は、上述した認証装置搭載用の凹部１４の構造の一例を示す拡大斜視図である。認証装置搭載用の凹部１４の表面は、図１６（Ａ）に示すように、ほぼ水平な認証装置積載面を構成するが、例えば形成時は表面を平滑面としておき、２種類の両面テープを平滑面に貼って２種類のシボ領域を設ける構造とすることができる。すなわち、図３に示す例では、２種類の門の字形状の両面テープを用意しておき、サイズの大きなテープを貼付して第１シボ領域（シボが粗い領域）１４ａを、サイズの小さなテープをサイズの大きなテープの内側に貼付して第２シボ領域（シボが細かい領域）１４ｂを形成し、その内側をシボなし領域１４ｃとしている。テープの形状を工夫していることにより、貼付の際に作業者が迷わないで作業できる。なお図中１５は、凹部１４の後部面に形成した、後述するＵＳＢケーブル挿通用の開口である。
【００４７】
この認証装置搭載用の凹部１４に認証装置を図５（Ａ）に示すように取り付けるには、上述のように両面テープで第１、第２シボ領域１４ａ、１４ｂとシボ無し領域１４ｃとを形成し、第２シボ領域１４ｂに合わせながらＵＳＢケーブル１６を取り外した状態の認証装置１７を積載する。第２シボ領域１４ｂと認証装置１７の外形が合致するように構成しておけば、認証装置１７の搭載位置を合わせやすい。ついでＵＳＢケーブル１６の着脱可能なコネクタ１８を、図６（Ａ）、（Ｂ）に示すように、認証装置１７の背面側後方から開口１５に通して認証装置１７のコネクタ（図示せず）に接続する。すると、図５（Ａ）及び図７に示されるように、開口１５を隠した状態でコネクタ１８も挿せる位置に認証装置１７を積載できるので、位置合わせのコツや調整が不要で、搭載位置のばらつきがなく設置できる。なお、開口１５は、図３に示すように凹部１４の背面の幅方向に広く開いている形状としておけば、例えば国によってコネクタ１８や、フェライトコア１９の形状が異なっていても容易に対処でき、便利である。また破損しにくいとか、着脱の煩雑さも低減できる。
【００４８】
開口１５を設けることで、外付け積載される認証装置１７が図示の例のような有線式でケーブルがある場合のものでも、コネクタやケーブルを操作部内側に隠して、認証装置１７を載置面に合わせて配置することができ、認証装置１７をオプションとして装着する時には装置全体としての美観を損ねない上に、コネクタやケーブルを破損しにくいという好ましい利点がある。
【００４９】
なお、上述のような画像表示面９を備えた装置１の操作部６に認証装置をオプションとして追加しない場合は、認証キー（ログインキー）１１を押して、テンキー１０や画像表示面９の画面に出るキーボードでユーザーＩＤとパスワードを入力して個人認証する構成とすることが可能である。
【００５０】
なお、この実施例では、認証装置１７が画像処理装置１の前方に張り出して位置しているので、操作者の立ち位置から近くなり、操作者の手を煩わせるカードや指紋での認証がしやすくでき、画像表示面９と認証装置１７の積載面の角度を異ならせて、それぞれの操作に適した角度を選択できるようにして、操作パネル７の画像表示面９と認証装置１７の積載面である凹部１４の表面のそれぞれを最適化して使いやすくできる。なお図示の実施例では、画像表示面９よりも下方に認証装置１７積載面である凹部１４の底面を備えた形態となるので、操作パネル７での光学的表示の読み取りを妨げない。
【００５１】
なお、認証装置１７を操作部６より上方に積載するのでなく、操作部６として左右に並べて固定するので、構成が簡単になっている。また操作部６の面積が左に広がってしまうことがないので、胴内排紙型の装置の場合でも排紙が取り出しにくくなることがなく、非胴内排紙型の装置でも前ドアを開けた保守、補給操作の妨げになることがない。またＡＤＦ２より前方に位置し、画像表示面９と認証装置搭載部８の表面角度が同一で、前下がりに傾斜しているので、これによっても操作がしやすくなっている（少なくとも側方に置くよりも操作者の立ち位置に近く、操作しやすいと言える）。なお、認証装置がカード読取面を露出させているタイプの場合、カード読取面が前下がりに傾斜しているとカードがずり落ちてしまうので、カードを載せたまま使用するプリペイド減算型カードは使いにくいが、本実施例では画像表示面９を前下がりにして見やすくかつ操作者が押して操作しやすくしつつも、認証装置１７を水平にして載置するものとし、カードを載せて認証するものであって、カードを載せたままでもずり落ちないようにしているので、それぞれが使いやすさを向上させている。
【００５２】
また、画像表示面９が前下がりに傾くと、天井の照明などの反射が少なくなり、ＬＣＤ等の表示デバイスの視野角に対しても適正となるので、表示を見やすくでき、さらには画像表示面９がタッチパネルであると、画面キーの角度も適正となるので、画面キーも押しやすくできる。さらに本実施例では、画像表示面９と認証装置積載部８の間にテンキー１０や認証キー（ログインキー）１１があるので、認証装置１７が認証キー（ログインキー）よりも目立ち、まずはカードや指紋で個人認証を行う順序であることを分かりやすくすることができる。なお、認証装置１７を操作部６の左側に位置させると、例えばＩＣカード入退出管理システムなどの情報処理装置に用いた場合、社員証を忘れて臨時カードで入館する際などに、認証キー（ログインキー）と画面表示面に現れるキーボードまたはテンキーを併用する操作性までがあまり良くないと考えられるので、この点でも操作性を向上させ得るようになっている。すなわち本実施例では、そのような場合でも、右から左（認証装置→認証キー→テンキー→画面キー）という順序で使用者の視線が移動するので、操作すべき順番が分かりやすくなり、操作の流れが左右に行き来することがないので、それだけでも操作しやすくなる。
【００５３】
さらに図示の実施例においては凹部１４の底面にシボ（詳細にはシボ模様）を２種類形成しているが、シボに代えて凹凸成形形状や印刷、デカルなどを採用し得るし、２種類以上のシボ（搭載のための目印）を備えた構成とすることも可能である。なお、シボ模様が低コスト化、さらには、美観を損ねないという点からは最も好ましい。
【００５４】
またさらに、図１６（Ｂ）、（Ｃ）に示すように、凹部１４の底面に角度を付けて傾斜面としてもよい。図１６（Ｂ）の場合には後傾する底面となり、図１６（Ｃ）の場合には前掲する底面となるが、いずれのばあいも凹部１４の前側の壁面が認証装置１７の移動に対してストッパとして機能することが期待できるので、認証装置１７の傾斜配置も自由に行える。
【００５５】
なお図示は省略するが、凹部１４の前後左右にあり、認証装置１７の積載面である底面と直交またはほぼ直交する面（以下、単に直交あるいは直交面という）の少なくとも１つに、認証装置１７の一側面が接するように構成しても良い。
【００５６】
＜実施例２＞
図８は、本発明の実施例２に係る操作部を備えた画像処理装置を前方右側から見て示す斜視図であり、（Ａ）に認証装置取り付け部位に認証装置１７を取り付けていない状態を、（Ｂ）に認証装置１７を取り付けた状態を示す。図８（Ｃ）は、この実施例における認証装置１７のＵＳＢケーブル１６の配線例を示す斜視図である。また図９は、図８（Ａ）、（Ｂ）の認証装置取り付け部位の拡大斜視図である。本実施例は、後述するように認証装置の搭載位置を操作パネルより上方にもっていって、認証装置がより目立つ位置とし、初めにカードや指紋で個人認証を行う順序であることを分かりやすくしようというものである。
【００５７】
この実施例２では、認証装置搭載部８に台状の積載部２０を設けて画像表示面９よりも上方に、認証装置積載部８を備えように構成してある。すなわち積載部２０の頂部の平坦面２０ａを認証装置１７の積載面とするものであるが、図１６（Ｄ）に示すように、画像表示面９よりも上方に平坦面２０ａが位置し、また積載部２０の前後左右少なくとも１方側に認証装置１７積載面である平坦面２０ａと直交する面を備えている。図示の例では装置１の前面側を向く面２０ｂがその直交面となっており、そこにはＵＳＢ端子２１やカードメモリ挿入用のスロット２２が設けてある。もちろん平坦面２０ａと直交しない面にそれらＵＳＢ端子２１やカードメモリ挿入用のスロット２２等を設けても良いが、ねじれ曲面でないほうが美観を損ねない、位置が分かりやすい等の利点がある。
【００５８】
また積載部２０の背面側も、図１０、図１１に示すように、積載部２０は、頂部の平坦面２０ａと直交する面とし、そこにＵＳＢケーブル１６挿通用の開口１５が設けてある。なお、認証装置１７から配線するＵＳＢケーブル１６を通すための開口１５が海外仕様等を考慮すると比較的大きくなるので（図１１（Ｂ）参照）、ＵＳＢケーブル１６を通すための切り欠きを設けた着脱可能な蓋２３と取り付け金具２４を備えた構成としてある。なお、着脱可能な蓋２３を備えることは、認証装置１７をオプションとして装着しない場合に、認証装置１７の積載面や開口のある面を隠すことができ、美観を損ねないという利点もある。蓋２３は、もちろんＵＳＢケーブル１６を通すための穴付きで、ケーブルのフェライトコアを操作部内に隠した上でケーブル以外の隙間を塞ぐことができ、クリップなどの異物落下を防ぐと共に美観を損ねないという点から好ましい。図示の例では、蓋２３の穴付き形状としては、図１１（Ｂ）に示すように端部に切り欠き２３ａを設けたものとしているが、もちろん本来の意味での穴であっても良い。ただし、図示の例のような形状の方が成形しやすく、その点で好ましいといえる。
【００５９】
なお本実施例のように直交面があると、外付けで積載される無線または有線式の認証装置をその面に合わせられるので、固定位置のばらつきを抑えて、認証装置をオプションとして装着する場合に美観を損ねないようにできるという利点がある。
【００６０】
なおその他の構成と作用は実施例１と同様であるので説明を省略するが、本実施例においては、必要があれば、縦長となるように設けてあるＵＳＢ端子２１を横長となるように配置すれば、積載部２０を薄型化できる（図１６（Ｅ）参照）。そして、そのような構成とすれば、傾斜配置した操作パネル７の画像表示面９と交差する高さ位置、さらに具体的に言えば、画像表示面９のなす傾斜面に沿って引いた斜めに傾斜した線と、積載部２０の頂部の平坦面２０ａに沿って引いた水平な線とが装置１の側方から見て交差する位置に認証装置１７の積載面である平坦面２０ａ配置することができる。なお積載部２０の頂部の平坦面２０ａに傾斜を付ける場合には、図１６（Ｆ）のように後傾させることが望ましい。図１６（Ｇ）のように前傾させた場合には認証装置１７がずり落ちる可能性が出てくるためである。ただし、ずり落ち、滑り落ちを防止する対策（例えば平坦面２０ａに粘着性がある等）を取り得るのであれば、図１６（Ｇ）のように前傾させてもかまわない。
【００６１】
すなわち、実施例１のように画像表示面９よりも下方に認証装置１７の載置面が位置することは、逆に言えば認証装置１７が上方に突出することを低減するので、画像処理装置がコンタクトガラスでの原稿読取を行うものである場合には、ＡＤＦ２の開閉操作性を損ねにくいという点から好ましいが、上述のように交差関係にある場合も、同様の利点があると言い得る。
【００６２】
また、本実施例では認証装置１７の載置面下方にＳＤカードやＵＳＢメモリなどの記録媒体の読取装置があるので、個人認証装置（本例では認証装置１７）と共に複数の読取書込装置を集中配置して分かりやすく配置できるとともに省スペース化も図れて好ましい。しかも、認証装置搭載部８との分割部があるので、ＳＤカードやＵＳＢメモリなどの記録媒体読取装置がオプションである場合、これらを短時間で簡単に装着できるという利点がある。
【００６３】
図示は省略するが、本実施例でも２種類のシボ模様、凹凸形状、あるいはデカルの貼付または印刷のいずれかによって認証装置１７の積載位置をわかりやすく形成することができる。
【００６４】
＜実施例３＞
図１２は、本発明の実施例３に係る操作部を備えた画像処理装置を前方右側から見て示す斜視図（Ａ、Ｂ）、図１３は、図１２に示す実施例の角度可変チルト機構付き操作パネルを破断して示す斜視図、図１４は、同じく角度可変チルト機構付き操作パネルのヒンジ機構を装置の背面側から見て示すために、操作パネルの下カバー後部を破断して示す斜視図、図１５は、同操作パネルのヒンジ機構を示すために、操作パネル７だけを破断して示す側面図である。本実施例は、操作パネル７を設けるために凹部とした操作部の上面にチルト機構２５を設け、それによって操作パネル７の前側部位を上下方向で回動可能に支持するヒンジ機構として採用している。図中２６は操作パネルの下カバーである。
【００６５】
このような角度可変（チルト）機構付きの操作パネル７は、操作者の身長を問わない、すなわち角度を変えることで操作者の身長に合った角度にでき、見やすさを損なわないという利点がある。ただし、角度可変（チルト）機構で画像表示面９の角度を変える場合であっても、認証装置１７の積載面は角度を変えずに特定角度を保つことが、カード等の読取操作の一貫性という点で好ましい。
【符号の説明】
【００６６】
１：画像処理装置
２：原稿給紙装置（ＡＤＦ）
３：画像形成部
４：給紙トレイ
５：給紙部
６：操作部
７：操作パネル
８：認証装置搭載部
９：画像表示面
１０：テンキー
１１：認証キー（ログインキー）
１２：分割部
１３：蓋
１４：凹部
１４ａ：第１シボ領域（シボが粗い領域）
１４ｂ：第２シボ領域（シボが細かい領域）
１４ｃ：シボなし領域
１５：開口
１６：ＵＳＢケーブル
１７：認証装置
１８：コネクタ
１９：フェライトコア
２０：積載部
２０ａ：積載部の頂部の平坦面
２０ｂ：同前面側を向く面
２１：ＵＳＢ端子
２２：カードメモリ挿入用のスロット
２３：蓋
２３ａ：蓋の切り欠き
２４：取り付け金具
２５：チルト機構
２６：操作パネルの下カバー
【先行技術文献】
【特許文献】
【００６７】
【特許文献１】特開２００８−２７７８８６号公報
【特許文献２】特開２００８−２７６３２９号公報
【特許文献３】特開２００９−００９３４７号公報
【図１】
0005593709.tif 000002
【図２】
0005593709.tif 000003
【図３】
0005593709.tif 000004
【図４】
0005593709.tif 000005
【図５】
0005593709.tif 000006
【図６】
0005593709.tif 000007
【図７】
0005593709.tif 000008
【図８】
0005593709.tif 000009
【図９】
0005593709.tif 000010
【図１０】
0005593709.tif 000011
【図１１】
0005593709.tif 000012
【図１２】
0005593709.tif 000013
【図１３】
0005593709.tif 000014
【図１４】
0005593709.tif 000015
【図１５】
0005593709.tif 000016
【図１６】
0005593709.tif 000017
【図１７】
0005593709.tif 000018